(57)【要約】      （修正有）【課題】理髪店や美容院で被施術者がカット中に雑誌の朗読、タブレット端末や携帯電話などの電子端末を操作することが可能なカットクロスを提供する。【解決手段】窓付きカットクロスは、カットクロスカバー１０とこのカットクロスカバー１０に設けた透明のアクリル製樹脂またはメッシュ状の合成樹脂から構成される窓部２０とを具備することを特徴とする。【選択図】図１
0003185522.tif 000002
【実用新案登録請求の範囲】
【請求項１】
カットクロスカバーと、
前記カットクロスカバーに設けられ、透明のアクリル製樹脂またはメッシュ状の合成樹脂から構成される窓部と
を具備することを特徴とする窓付きカットクロス。
【請求項２】
前記窓部は、当該窓部を覆うための窓部用カバーをさらに具備することを特徴とする請求項１に記載の窓付きカットクロス。
【請求項３】
前記窓部は、前記透明のアクリル製樹脂の反円盤状から成ることを特徴とする請求項１乃至２のいずれか１項に記載の窓付きカットクロス。
【請求項４】
前記窓部用カバーが、前記窓部の内側または外側に取り付けられていることを特徴とする請求項２乃至３のいずれか１項に記載の窓付きカットクロス。
【請求項５】
前記窓部用カバーは、蛇腹式により構成されることを特徴とする請求項２乃至４のいずれか１項に記載の窓付きカットクロス。
【請求項６】
前記窓部用カバーは、ボタン、マジックテープ又はファスナーにより、前記カットクロスカバーに取り付けられていることを特徴とする請求項２乃至４のいずれか１項に記載の窓付きカットクロス。
【考案の詳細な説明】
【技術分野】
【０００１】  本考案は、理髪店、美容院または家庭などで髪のカットなどをする際に、被施術者が着用するカットクロスに関し、被施術者がカットなどの最中に雑誌を読むこと、（公序良俗違反につき、不掲載）や携帯電話などの電子端末を操作することが可能な窓付きカットクロスに関する。
【背景技術】
【０００２】
理髪店、美容院または家庭などでカットなどをする際に着用される袖無しのカットクロスとして、全体が不透明又は半透明のものが知られている。カットクロスとは、施術者が髪をカットするとき、パーマなどを行う際にカットした髪の毛やパーマ液等の液体が被施術者の衣服などに付着しないように被施術者が着用するものである。
【０００３】
カットクロスに関し、例えば、特許文献１では、２０〜７０グラムのポリプロピレン・スパンボンド不織布に１５ナノのナポリラミを施した布を使った半透明または不透明のカットクロスが開示されている。
【０００４】  この文献に開示された使い切りシャンプー、カットクロス、ヘアダイクロスは、全体に２０〜７０グラムのポリプロピレン・スパンボンド不織布に１５ナノのナポリラミを施したものであり、被施術者は、カットクロスが半透明または不透明であるため、カット、パーマをしている最中などには、雑誌を読むことや（公序良俗違反につき、不掲載）、携帯電話などの電子端末を操作することができなかった。
【先行技術文献】
【特許文献】
【０００５】
【特許文献１】実用新案登録第３０２５８８９号公報
【考案の概要】
【考案が解決しようとする課題】
【０００６】
本考案は、被施術者がカットまたはパーマなどをされている最中に有意義な時間を過ごせるような窓付きカットクロスを提供する。
【課題を解決するための手段】
【０００７】
本考案の窓付きカットクロスは、カットクロスカバーと、カットクロスカバーに設けられ、透明のアクリル製樹脂またはメッシュ状の合成樹脂から成る窓部とを具備する。
【考案の効果】
【０００８】  本考案によれば、被施術者は、カットなどの最中に、雑誌を読むこと、（公序良俗違反につき、不掲載）や携帯電話などの電子端末を自由に操作することができるため、有意義な時間を過ごすことができる。
【図面の簡単な説明】
【０００９】
【図１】本考案の一実施形態に係る窓付きカットクロスを示す斜視図である。
【図２】本考案の一実施形態に係る窓付きカットクロスの展開図である。
【図３】本考案の一実施形態に係る窓付きカットクロスの窓部カバーを示す展開図である。
【考案を実施するための形態】
【００１０】
以下、実施の形態について、図面を参照して説明する。この説明に際し、全図にわたり、共通する部分には共通する参照符号を付す。
図１を用いて、本考案の一実施形態に係る窓付きカットクロスについて説明する。図１に示すように、本考案に係る窓付きカットクロスは、カットクロスカバー１０に窓部２０を有している。
カットクロスカバー１０は、一般に市販されているカットクロスカバーであり、ナイロン樹脂等の合成樹脂などから成る不透明又は半透明のものである。カットクロスカバー１０は、大人用、子供用に応じたサイズのカットクロスカバーであっても良い。カットクロスカバー１０は、袖無しのカットクロスでも、袖有りのカットクロスでも良い。
窓部２０は、カットクロスカバー１０において、被施術者が座った状態で膝上のあたりに形成されると良い。但し、窓部２０の位置は、図１に示す位置に限定されず、例えば、被施術者の腹部あたりに形成されても良く、種々変更可能である。
【００１１】
図２を用いて、本考案の一実施形態に係る窓付きカットクロスを構成する窓部２０について詳細に説明する。
例えば、図２に示すように、カットクロスカバー１０に設けられた窓部２０は、上辺２１、底辺２２、左側辺２３および右側辺２４を有する長方形から構成されている。窓部２０は、被施術者が雑誌を読むことができる程度の大きさであり、上辺２１および底辺２２の長さが、例えば約４５センチメートル、左側辺２３および右側辺２４の長さが、例えば約３０センチメートルである。
但し、窓部２０の上辺２１、底辺２２、左側辺２３および右側辺２４の長さは、上記した長さに限定されず、雑誌の大きさ、電子端末の大きさに応じて、被施術者の選択により、上辺２１および底辺２２を縮小することや、カットクロスカバー１０の両端まで拡張することも可能である。また、窓部２０は、上辺２１および底辺２２の長さが、左側辺２３および右側辺２４の長さより長い長方形に限定されず、上辺２１および底辺２２の長さが、左側辺２３および右側辺２４の長さより短い長方形でも良い。さらに、窓部２０の形状は、長方形に限定されず、例えば、正方形、円、楕円、星型、ハート型など種々変更可能である。
【００１２】  窓部２０は、カットクロスカバー１０の内側が見えるような材料で形成されている。例えば、窓部２０の材料は、被施術者が雑誌の文章や写真など、または（公序良俗違反につき、不掲載）や携帯電話などの電子端末の画面を認識確認できる程度の透明性を有したアクリル製樹脂、または目の細かいメッシュ状の合成樹脂などから成る。窓部２０の材料を目の細かいメッシュ状の合成樹脂にすることで、特に夏場において、通気性が良いため、被施術者が快適にカット、パーマをされることができる。
【００１３】
窓部２０は、平面的でなく、前記透明のアクリル製樹脂又は目の細かいメッシュ状の合成樹脂などから成る立体的な反円盤状から構成されることも可能である。この場合、カットされた髪の毛が窓部２０の下方に落ちるため、雑誌を読む際、又は電子端末を操作確認する際に髪の毛が邪魔にならない。
窓部２０は、文字や画像を拡大する効果を有するレンズまたはフィルムなどを用いて形成されても良い。この場合、例えば、年配者が窓部２０を通して新聞を読む際に、文字の見えにくさを緩和することができる。
【００１４】
図３を用いて、本考案の一実施形態に係る窓付きカットクロスを構成する窓部２０の窓部用カバー３０について詳細に説明する。
例えば、図３に示すように、窓部２０の表側に窓部用カバー３０が設けられている。但し、カットクロスカバー１０の態様に応じて、窓部２０の裏側に窓部用カバー３０を設けることは可能である。
【００１５】
窓部用カバー３０は、窓部２０の上辺２１、底辺２２、左側辺２３および右側辺２４の外側の少なくとも何れかにボタン、マジックテープ（登録商標）やファスナーにより、カットクロスカバー１０に取り付けられる。
また、窓部用カバー３０は、窓部全面を覆う１枚である必要はなく、例えば、窓部２０の左側辺２３および右側辺２４または窓部２０の上辺２１および底辺２２に其々取り付けることも可能である。この場合、窓部２０の左側辺２３および右側辺２４の両側部から、または窓部２０の上辺２１および底辺２２の両側部から、窓部用カバー３０を所望幅になるように閉じることができる。
【００１６】
窓部用カバー３０は、用途に応じて、蛇腹式のカバーにすることも可能である。
【００１７】
窓部用カバー３０の材料は、カットクロスカバー１０と同一のナイロン製の合成樹脂材料のものが一般的であるが、他の材料でも良い。また、窓部用カバー３０の色彩は、カットクロスカバー１０と同一の色彩でも他の色彩のものでも構わない。窓部用カバー３０は、不透明または半透明であっても良い。
【００１８】
以上のように、本考案の一実施形態による窓付きカットクロスは、カットクロスカバー１０の内側を見ることができる窓部２０が設けられている。これにより、被施術者は、カットやパーマをされている最中に、カットクロスカバー１０の内側に雑誌や電子端末を持って、窓部２０から雑誌を読むことや電子端末を操作確認することができる。
多忙なビジネスマンなどはカット、パーマをされている時間も電子端末を操作確認したいなど、理髪店、美容院などでカットされる時間を惜しむ者も多い。また、最近の若者の被施術者は、施術者とコミュニケーションを取りたがらず、黙っている者も多く、雑誌を読みたい、電子端末を操作確認したいとの要望も多く聞く。更には、被施術者が幼児の場合は、カットされる最中に椅子に大人しく座り続けることは略不可能であり、保護者は困惑している状況である。このような問題は、本考案である窓付きカットクロスを用いることで、全て解消することが可能であり、理髪店や美容院の施術者も時間が短縮でき、効率的にカット、パーマなどの施術をすることが可能となる。
また、本考案の一実施形態による窓付きカットクロスは、カットクロスカバー１０に窓部２０を設け、この窓部２０に窓部用カバー３０を設けている。これにより、雑誌を読まない、電子端末などを操作しない被施術者は、窓部用カバー３０によって窓部２０を覆い、カットクロスカバー１０の内側を見えなくすることができる。このため、施術者は、被施術者の衣服などを確認することができず、被施術者のプライバシーを守ることができる。
【００１９】
なお、本考案の一実施形態を説明したが、この実施形態は、例として提示したものであり、考案の範囲を限定することは意図していない。この実施形態は、考案の要旨を逸脱しない範囲で種々変更可能である。
【産業上の利用可能性】
【００２０】  本考案に係る窓付きカットクロスは、カットクロスカバーと窓部とから成っており、被施術者がカット中に雑誌を読むこと、（公序良俗違反につき、不掲載）や携帯電話などの電子端末を操作することで、カット、パーマの最中の時間を有意義に過ごすことができる。
【符号の説明】
【００２１】
１０    カットクロスカバー
２０    窓部
２１    上辺
２２    底辺
２３    左側辺
２４    右側辺
３０    窓部用カバー
【図１】
0003185522.tif 000003
【図２】
0003185522.tif 000004
【図３】
0003185522.tif 000005
【手続補正書】
【提出日】平成25年6月26日(2013.6.26)
【手続補正１】
【補正対象書類名】実用新案登録請求の範囲
【補正対象項目名】全文
【補正方法】変更
【補正の内容】
【実用新案登録請求の範囲】
【請求項１】
カットクロスカバーと、
前記カットクロスカバーに設けられ、透明のアクリル製樹脂またはメッシュ状の合成樹脂から構成される窓部と
を具備することを特徴とする窓付きカットクロス。
【請求項２】
前記窓部は、当該窓部を覆うための窓部用カバーをさらに具備することを特徴とする請求項１に記載の窓付きカットクロス。
【請求項３】
前記窓部は、前記透明のアクリル製樹脂の反円盤状から成ることを特徴とする請求項１乃至２のいずれか１項に記載の窓付きカットクロス。
【請求項４】
前記窓部用カバーが、前記窓部の内側または外側に取り付けられていることを特徴とする請求項２乃至３のいずれか１項に記載の窓付きカットクロス。
【請求項５】
前記窓部用カバーは、蛇腹式により構成されることを特徴とする請求項２乃至４のいずれか１項に記載の窓付きカットクロス。
【請求項６】
前記窓部用カバーは、ボタン、面ファスナー又はファスナーにより、前記カットクロスカバーに取り付けられていることを特徴とする請求項２乃至４のいずれか１項に記載の窓付きカットクロス。
【手続補正２】
【補正対象書類名】明細書
【補正対象項目名】０００１
【補正方法】変更
【補正の内容】
【０００１】
本考案は、理髪店、美容院または家庭などで髪のカットなどをする際に、被施術者が着用するカットクロスに関し、被施術者がカットなどの最中に雑誌を読むこと、タブレット端末や携帯電話などの電子端末を操作することが可能な窓付きカットクロスに関する。
【手続補正３】
【補正対象書類名】明細書
【補正対象項目名】０００４
【補正方法】変更
【補正の内容】
【０００４】
この文献に開示された使い切りシャンプー、カットクロス、ヘアダイクロスは、全体に２０〜７０グラムのポリプロピレン・スパンボンド不織布に１５ナノのナポリラミを施したものであり、被施術者は、カットクロスが半透明または不透明であるため、カット、パーマをしている最中などには、雑誌を読むことやタブレット端末、携帯電話などの電子端末を操作することができなかった。
【手続補正４】
【補正対象書類名】明細書
【補正対象項目名】０００８
【補正方法】変更
【補正の内容】
【０００８】
本考案によれば、被施術者は、カットなどの最中に、雑誌を読むこと、タブレット端末や携帯電話などの電子端末を自由に操作することができるため、有意義な時間を過ごすことができる。
【手続補正５】
【補正対象書類名】明細書
【補正対象項目名】００１２
【補正方法】変更
【補正の内容】
【００１２】
窓部２０は、カットクロスカバー１０の内側が見えるような材料で形成されている。例えば、窓部２０の材料は、被施術者が雑誌の文章や写真など、またはタブレット端末や携帯電話などの電子端末の画面を認識確認できる程度の透明性を有したアクリル製樹脂、または目の細かいメッシュ状の合成樹脂などから成る。窓部２０の材料を目の細かいメッシュ状の合成樹脂にすることで、特に夏場において、通気性が良いため、被施術者が快適にカット、パーマをされることができる。
【手続補正６】
【補正対象書類名】明細書
【補正対象項目名】００２０
【補正方法】変更
【補正の内容】
【００２０】
本考案に係る窓付きカットクロスは、カットクロスカバーと窓部とから成っており、被施術者がカット中に雑誌を読むこと、タブレット端末や携帯電話などの電子端末を操作することで、カット、パーマの最中の時間を有意義に過ごすことができる。